(57)【特許請求の範囲】
【請求項１】
手動または電動による操作を動力伝達部を介して栓部に伝え、該栓部に備えたスラストロック機構で操作毎に開栓，閉栓状態を保持する排水栓装置において、
手動操作軸が垂設された手動操作ボタンと、
電気的信号で駆動する駆動源の運動を昇降運動に変換する動力変換手段を有する電動駆動部と、
該電動駆動部または前記手動操作軸の動作を前記動力伝達部に伝える従動部材を備え、
該従動部材は、前記動力伝達部の芯材に当接する押し下げ部材と、前記電動駆動部と前記押し下げ部材との間に介在し、動力伝達部の芯材を押し下げる際に、芯材からの反力が所定以上の大きさになった時に収縮するバネ部材で構成されていることを特徴とする排水栓装置。
【発明の詳細な説明】
【０００１】
【産業上の利用分野】
この発明は、浴槽の排水口を遠隔操作で開閉する排水栓装置に関するものである。
【０００２】
【従来の技術及びその課題】
従来、操作部での操作を動力伝達部材を介して栓部に伝え、操作部または栓部に備えたスラストロック機構で操作毎に開栓，閉栓状態を保持するように構成した排水栓装置が存在し、実開平６−７３８３５号公報に開示されている構造では、手動操作軸直後にスラストロック機構を備え、レリースの芯材と操作軸間にショックアブソーバを備え、大きな荷重が働いた場合に、その衝撃を吸収するように構成されている。
このような構造では、スラストロック機構が操作部側に付いており、中間にショックアブソーバが付いているため、栓が開いている状態でも、常にレリース及びショックアブソーバに荷重が掛かっており、耐久性に問題があった。
【０００３】
また、特開２０００−１０４３０１号公報に開示されている構造では、栓部の弁部材軸部にショックアブソーバを備えている。
このような構造では、栓部の弁部材軸部の長さが長くなり、浴槽用排水栓の場合、浴槽底面の下には大きなスペースが取れないために、取り付けができないという問題点があった。
【０００４】
また、特開２００１−３２９５９１号公報に開示されている構造では、操作部は、手動の操作ボタン，手動操作軸と、駆動源や動力変換手段を備えた電動駆動部と、手動及び電動の動作力を受けて作動する従動部等で構成されており、特に、電動動作の場合に、例えば、浴槽内の人が栓部を足で踏んだ状態で、操作されると、操作軸や従動部，電動駆動部等に反力が加わり、これらの部材が破損する虞れがあるため、それを回避するために、連結軸を押し下げる際、所定以上の反力が連結軸に加わった時に、連結軸と連動して押し下がるガイド筒と、ガイド筒を上方へ付勢するスプリングを備えて構成されている。
しかし、このような構成では、反力が大きい場合、ガイド筒が押し下がり、結果的には被覆部材が押し下がることでショックを吸収しているため、被覆部材が延びる方向に荷重が掛かり、繰り返しショックアブソーバが働くうちに被覆部材が延びて作動不良につながるという問題点があった。
【０００５】
【課題を解決するための手段】
本発明は上記従来の問題点に鑑み案出したものであって、電動駆動部や動力伝達手段に破損が生じることがなく、耐久性に優れた排水栓装置を提供せんことを目的とし、その要旨は、手動または電動による操作を動力伝達部を介して栓部に伝え、該栓部に備えたスラストロック機構で操作毎に開栓，閉栓状態を保持する排水栓装置において、手動操作軸が垂設された手動操作ボタンと、電気的信号で駆動する駆動源の運動を昇降運動に変換する動力変換手段を有する電動駆動部と、該電動駆動部または前記手動操作軸の動作を前記動力伝達部に伝える従動部材を備え、該従動部材は、前記動力伝達部の芯材に当接する押し下げ部材と、前記電動駆動部と前記押し下げ部材との間に介在し、動力伝達部の芯材を押し下げる際に、芯材からの反力が所定以上の大きさになった時に収縮するバネ部材で構成されていることである。
【０００６】
【実施例】
以下、本発明の実施例を図面に基づいて説明する。
図１は、浴室の概略構成図であり、浴室１内に設けられた浴槽２の底部には栓部４が設けられ、栓部４は動力伝達部５（レリース等）を介して電動駆動部６に接続されて排水栓装置３が構成されており、浴室の天井裏には、排水栓装置３の電動駆動部６に電源を供給し、電動駆動部６を制御するための電源，制御部７が設けられている。
また、浴槽２内に湯を供給するための給湯装置８を操作するためのリモコン９が台所等に設けられており、給湯装置８を操作するための別のリモコン１０が浴室内に設けられている。なお、給湯装置８とリモコン１０は通信線４０で結ばれており、電源，制御部７と電動駆動部６は電源，通信線４１で結ばれている。
この浴室リモコン１０には発信部１０ａが設けられており、発信部１０ａからの信号が、天井に設けられた受信部７ａで受信されて電源，制御部７に信号が送られるように構成されている。
【０００７】
このような構成において、台所のリモコン９の湯張りスイッチをＯＮすると、給湯装置８と連動して排水栓装置３の電動駆動部６が作動し、浴槽２の底部の栓部４を閉じ、給湯装置８で沸かされた湯が浴槽２内に供給され、浴室１内へ行かなくても台所で湯張り操作を行い、浴槽２内に湯を溜めることができるように構成されている。
【０００８】
排水栓装置３は、図２に断面拡大図で示すような構造となっており、浴槽の底部２ａに設置される栓部４は、浴槽の排水口１１を上下動して開閉する栓体１２と、その下方に設けられたスラストロック機構１３を有し、このスラストロック機構１３は、動力伝達部のレリース１４が１回押されて栓体１２が上方へ移動して開くと、ロックして開状態を保持するものであり、もう一度、動力伝達部５が押されるとロックが解除されて、栓体１２が自重で下がり、排水口１１を閉止するように構成されている。
【０００９】
レリース１４は、内部の芯が移動できるものであり、レリース１４の外周はガイドチューブ１５で包囲されており、レリース１４の芯の他端は、固定状の連結部１６を介して、連結軸１８に連結されている。この連結軸１８，連結部１６，レリース１４，ガイドチューブ１５で動力伝達部５が構成されている。
なお、排水栓装置３の操作部ケース１９の下端には、ネジ部１９ａが形成されており、このネジ部１９ａに対し、下方側より押さえナット１７が締め付けられて、この押さえナット１７により連結部１６が固定されており、押さえナット１７にガイドチューブ１５の上端が嵌め込まれている。
【００１０】
操作部ケース１９は、右側面側が横方向に突出されて取付凸部１９ｂが形成されており、この取付凸部１９ｂに対し、ユニット化された電動駆動部６が、パッキン２５を介在させて４本のビス２６，２６，２６，２６で取り付けられている。
すなわち、４本のビス２６，２６，２６，２６で、電動駆動部６の電動駆動部上ケース２７と電動駆動部下ケース２８が、操作部ケース１９に取り付けられており、４本のビス２６，２６，２６，２６を取り外すことにより、電動駆動部６の電動駆動部上ケース２７と電動駆動部下ケース２８を横方向に取り外すことができるように構成されている。
【００１１】
電動駆動部６の電動駆動部上ケース２７内には、モーター６ａと、このモーター６ａの回転を上下方向の昇降運動に変換する動力変換部６ｂが設けられており、モーター６ａには、コードブッシュ３１を介して電源，通信線４１が外側から接続されている。
このモーター６ａと動力変換部６ｂを収納した電動駆動部上ケース２７は、下方が開放されており、下方よりパッキン２９を介在させて４本のビス３０，３０，３０，３０により、電動駆動部下ケース２８の水平板部２８ａが取り付けられている。
この電動駆動部下ケース２８の水平板部２８ａから一体状に垂直板部２８ｃが設けられており、この垂直板部２８ｃの下端側が、前記ビス２６により、操作部ケース１９の取付凸部１９ｂにパッキン２５を介在させて取り付けられるものである。
【００１２】
なお、電動駆動部下ケース２８の水平板部２８ａには、下方へ突出状に軸受部２８ｂが形成されており、この軸受部２８ｂ内には、動力変換部６ｂから下方へ突出された出力軸６ｃが、オーリング３２及び、オーリング押さえ板３３を介在させて水密状に設けられており、出力軸６ｃの下端には、上下の止め輪３４，３４を介して固定状に、横方向へ延びる電動昇降部材３５が取り付けられている。
【００１３】
この電動昇降部材３５は、図３の斜視図で示すような形状となっており、出力軸６ｃが固定される出力軸固定部３５ａから、延出部３５ｂが一体形成され、延出部３５ｂの先端には、略Ｕ字状の二股片部３５ｃが一体形成されている。
この二股片部３５ｃ内に、従動部材２３が配置されるものであり、従動部材２３は、縦長の筒部２３ａと、筒部２３ａの外周に突出された鍔部２３ｂを有しており、電動昇降部材３５の二股片部３５ｃが筒部２３ａの外周に挿着されて、鍔部２３ｂ上に載っている。
【００１４】
このように、従動部材２３の筒部２３ａの外周に、電動昇降部材３５の二股片部２３ｃが挿着状に配置されており、電動昇降部材３５は従動部材２３に対し、横方向へ着脱できるものである。
従って、ビス２６を４本取り外すことで、容易に操作部ケース１９から、ユニット化された電動昇降部材３５を含む電動駆動部６を取り外すことができて、電動駆動部６のメンテナンスや部品交換の作業を容易に行うことができるものである。
【００１５】
また、従動部材２３の筒部２３ａの上端側に、手動操作軸２２の下端が固定状に連結されている。また、従動部材２３の筒部２３ａの下端側から、筒部２３ａ内に連結軸１８が移動可能に挿入されており、筒部２３ａ内には、この連結軸１８の上端と手動操作軸２２の下端間にコイル状のバネ３７が内装されている。
手動操作軸２２の上端には、手動用の操作ボタン２１が取り付けられており、この操作ボタン２１は、浴槽２の上方より操作部ケース１９にネジ部２０ａを介して螺合された操作ボタンガイド２０内に、上下動可能に配置されている。
【００１６】
図２の状態は、手動用の操作ボタン２１が操作されておらず、また電動駆動部６も駆動されておらず、栓部４が閉じられた状態である。
この状態から、台所リモコン９または浴室リモコン１０が操作されると、モーター６ａが回転して、動力変換部６ｂを介して出力軸６ｃが下方側へ移動し、図４に示すように、電動昇降部材３５が下動し、電動昇降部材３５の左端の二股片部３５ｃが従動部材２３の鍔部２３ｂ上に載っているため、従動部材２３も下方側へ移動されることとなり、これにより、バネ３７を介して連結軸１８が下方へ押されて、レリース１４の芯が下方へ押され、栓１２は上方へ移動して排水口１１が開かれ、この開いた状態で、スラストロック機構１３が作用して栓１２は開状態に保持されることとなる。
【００１７】
なお、正常時にはバネ３７は縮むことのないようなバネ力に設定されており、良好にバネ３７を介して連結軸１８を押し下げ、連結軸１８と連結部１６内で連結されているレリース１４の芯材を押し下げて、良好に栓１２を開くことができるものである。
なお、バネ３７の付勢力はレリース１４の芯材に掛かるために、芯材を被覆しているレリース１４の被覆部材を延ばすような荷重は働かず、耐久性が良いものとなる。
【００１８】
モーター６ａはその後に自動的に電動昇降部材３５を上昇させ、元の位置で停止されて図５の状態となるが、スラストロック機構１３の作用により栓１２は開いたままの状態に保持される。
また、従動部材２３には操作ボタン２１の手動操作軸２２も連結されているため、手動の操作ボタン２１は下がった状態のままとなり、操作ボタン２１を目視すれば、栓１２が開状態であることを容易に知ることができるものとなる。
【００１９】
なお、再度、電動駆動部６が作動されて、再度、電動昇降部材３５が下動して、従動部材２３を下方に押すと、スラストロック機構１３が解除され、この状態では、栓１２の自重により、栓１２はゆっくりと排水口１１を蓋して閉状態となる。
このように電動駆動部６を電気的に駆動して、栓１２の開閉を行うことができるとともに、図５に示すように、手動で操作ボタン２１を押すことによっても、栓１２を開閉操作することができるものである。
【００２０】
図５のように、操作ボタン２１が押されると、手動操作軸２２が下動して、これに伴い従動部材２３が下がり、バネ３７を介して連結軸１８が下がって、レリース１４を介して栓１２が開状態となるのであり、スラストロック機構１３により開状態が保持されることとなる。また、再度、操作ボタン２１を押すと、スラストロック機構１３が解除され、栓１２が自重で下がり、閉状態となる。
【００２１】
なお、浴槽内に人がいて、栓１２が足で踏まれているような場合に、電動駆動部６が作動されると、従動部材２３が電動駆動部６の作動により押し下げられ、連結軸１８を押し下げようとするが、栓１２上に人が乗っていることにより連結軸１８は動かないため、この時には、バネ３７が図６のように収縮し、これにより、電動駆動部６の構成部材や動力伝達部５の破損を良好に防ぐことができるものとなる。
その他、レリース１４の芯材からの反力が所定以上の大きさで、連結軸１８を押し下げることができない場合においても、良好にバネ３７が収縮して電動駆動部６の破損を良好に防ぐことができる。
【００２２】
次に、図７及び図８は別例を示すものであり、図７では、従動部材２３の構造を変更させたもので、従動部材２３は、上下に長い押し下げ筒部２３ａの下端にバネ受部２３ｃが一体形成されており、押し下げ筒部２３ａの上端には、手動操作軸２２の下端が連結固定されており、また、押し下げ筒部２３ａには、下方側から内部に連結軸１８が挿入されて固定されたものとなっている。
また、押し下げ筒部２３ａの外周のバネ受部２３ｃ上にバネ３７が配置されており、バネ３７の上端は電動昇降部材３５の二股片部３５ｃの下面に当接されている。その他の構成は、図２のものと同一である。
【００２３】
このような構造では、電動駆動部６が作動されて電動昇降部材３５が下がった場合に、正常な状態ではバネ３７は縮むことなく、良好に押し下げ力がバネ３７を介し、バネ受部２３ｃから押し下げ筒部２３ａに伝わり、従動部材２３が押し下げられて、これに伴い連結軸１８が押し下げられ、良好に栓１２が開かれるものである。
【００２４】
なお、浴槽の栓１２上に人が乗っているような場合の異常時には、図８に示すように連結軸１８は動かないために、従動部材２３も動かず、電動昇降部材３５の下降によりバネ３７が収縮することとなる。
その他、レリース１４の芯材からの反力が所定以上の大きさになっている状態で、バネ部材３７が収縮し、良好に電動駆動部６とか動力伝達部５の破損を防ぐことができるものとなる。
【００２５】
なお、図７及び図８の構造では、操作ボタン２１を押す場合の手動操作時には、手動操作軸２２からの力が直接連結軸１８に伝わり、バネ３７には荷重が掛からないために、バネ３７の耐久性は良いものとなり、電動操作時のみにバネ３７に荷重が掛かるものである。
なお、操作ボタン２１が押される場合は、異常時には操作ボタン２１を強く押しても動かないから、手でその状態を感じることができ、操作ボタン２１を押すのをやめることができるものである。
従って、電動駆動部６に対してのみショックアブソーバとして作用するものであるため、電動駆動部６の動作力，動作速度，動作ストロークのみに合わせたバネ３７の選定ができ、適切なバネ力を有するバネ３７を設けることができるものとなる。
【００２６】
なお、本発明におけるバネ３７は、従来のように栓部４側に設けたものではなく、操作部側にあるため、取り付けスペースを良好に確保できるものであり、しかも従動部材２３内に組み込むことができるために、電動駆動部６の昇降ストローク内にバネ３７を配置することができ、スペース的に効率も良いものとなる。
【００２７】
なお、本例では、電動駆動部６は、モーター６ａと、このモーター６ａの回転を出力軸６ｃの昇降動に変換する動力変換部６ｂで構成したものを例示しているが、動力変換部６ｂは、カム機構やスライダークランク機構を用いたものであっても良く、また、モーター６ａは、ステッピングモーターや正逆回転式モーターで構成しても良い。
【００２８】
【発明の効果】
本発明は、手動または電動による操作を動力伝達部を介して栓部に伝え、栓部に備えたスラストロック機構で操作毎に開栓，閉栓状態を保持する排水栓装置において、手動操作軸が垂設された手動操作ボタンと、電気的信号で駆動する駆動源の運動を昇降運動に変換する動力変換手段を有する電動駆動部と、電動駆動部または手動操作軸の動作を動力伝達部に伝える従動部材を備え、従動部材は、動力伝達部の芯材に当接する押し下げ部材と、電動駆動部と押し下げ部材との間に介在し、動力伝達部の芯材を押し下げる際に、芯材からの反力が所定以上の大きさになった時に収縮するバネ部材で構成されていることにより、電動動作中に通常よりも大きい荷重が負荷された場合、バネ部材が収縮することで荷重を吸収，軽減するため、電動駆動部が破損しにくいものとなる効果を有する。
また、操作部側の従動部材にバネ部材を備えたために、取り付けスペースを確保することができるものとなる。
また、バネ部材を、電動駆動部の動作力，動作速度，動作ストロークに合わせて設計することができるものとなる。
【図面の簡単な説明】
【図１】  排水栓装置を含む浴室のシステム構成図である。
【図２】  排水栓装置の拡大断面構成図である。
【図３】  電動昇降部材と従動部材の挿着状態の斜視構成図である。
【図４】  電動操作により栓を開けた状態の断面構成図である。
【図５】  手動操作で栓を開けた状態の断面構成図である。
【図６】  連結軸が下がらない異常時に、電動駆動部の動作力をバネが縮んで吸収する状態の断面構成図である。
【図７】  従動部材を変更した排水栓装置の断面構成図である。
【図８】  異常時にバネが縮んで電動駆動部の破損を防ぐ状態の断面構成図である。
【符号の説明】
１  浴室
２  浴槽
２ａ  浴槽底部
３  排水栓装置
４  栓部
５  動力伝達部
６  電動駆動部
７  電源，制御部
１１  排水口
１２  栓
１３  スラストロック機構
１４  レリース
１５  ガイドチューブ
１６  連結部
１８  連結軸
１９  操作部ケース
１９ｂ  取付凸部
２０  操作ボタンガイド
２１  操作ボタン
２２  手動操作軸
２３  従動部材
２３ａ  筒部（押し下げ筒部）
２３ｂ  鍔部
２３ｃ  バネ受部
２６，３０  ビス
２７  電動駆動部上ケース
２８  電動駆動部下ケース
３５  電動昇降部材
３５ａ  出力軸固定部
３５ｃ  二股片部
３７  バネ
【図１】
0003882165.tif 000002
【図２】
0003882165.tif 000003
【図３】
0003882165.tif 000004
【図４】
0003882165.tif 000005
【図５】
0003882165.tif 000006
【図６】
0003882165.tif 000007
【図７】
0003882165.tif 000008
【図８】
0003882165.tif 000009